(57)【要約】【課題】視角や光の当る角度によって干渉作用により微妙に色彩が変化して多彩な色彩効果を得ることができる遊技機用装飾フィルムを提供する。【解決手段】干渉性顔料１４が混合された印刷インキによる無色又は単色で透明の干渉性印刷層２を透明フィルム１の裏面に形成し、干渉性印刷層２の裏面には絵柄のある不透明印刷層３を形成し、さらにこの裏面に裏打ち紙４を積層する。不透明印刷層３の絵柄の一部又は全部を明度７以下の暗色印刷層とするのが望ましい。また、絵柄が描かれた多色で透明の干渉性印刷層２を透明フィルム１の裏面に形成し、この裏面には明度７以下の不透明印刷層３を形成することもできる。【選択図】    図１
2004262192.tif 000002
【特許請求の範囲】
【請求項１】
干渉性顔料が混合された印刷インキによる無色又は単色で透明の干渉性印刷層が透明フィルムの裏面に形成され、干渉性印刷層の裏面には絵柄印刷層が形成されていることを特徴とする遊技機用装飾フィルム。
【請求項２】
絵柄印刷層の一部又は全部を明度７以下の暗色印刷層とした請求項１に記載の遊技機用装飾フィルム。
【請求項３】
干渉性顔料が混合された印刷インキにより絵柄が描かれた多色で透明の干渉性印刷層が透明フィルムの裏面に形成され、干渉性印刷層の裏面には明度７以下の暗色印刷層が形成されていることを特徴とする遊技機用装飾フィルム。
【請求項４】
干渉性印刷層の絵柄形状に対応させて暗色印刷層を形成した請求項３に記載の遊技機用装飾フィルム。
【請求項５】
干渉性印刷層の前面又は裏面に透明絵具による絵柄印刷層が介在されている請求項１〜４の何れかに記載の遊技機用装飾フィルム。
【請求項６】
干渉性顔料が金属酸化物からなる基板の上に、この基板より屈折率の高い金属酸化物が積層されたフレークからなるものである請求項１〜５の何れかに記載の遊技機用装飾フィルム。
【発明の詳細な説明】
【０００１】
【発明の属する技術分野】
本発明は、パチンコ機やスロットマシンの盤面や装飾品に貼り付けて用いられる遊技機用装飾フィルムに関するものである。
【０００２】
【従来の技術】
遊技機用装飾フィルムとしては、セルロイド板等の表面に絵柄印刷層を形成したものが広く用いられている。この絵柄印刷層はセルロイド板等の表側に形成されているために、十分な光沢を持たせることが困難であり、盤面に設けられた発光器からの光線を反射させて美的効果を高めることは困難であった。
【０００３】
そこで、光線を反射させて美的効果を高める装飾用フィルムとして、特開平１０−９９４９０号公報に開示されている如く、印刷が施されたシート状基体の印刷面にポリエステルなどの透明フィルムが積層されているパチンコ遊技機の台板装飾シートを先に発明した。しかしながら、この台板装飾シートにおける印刷層は、皮膜形成用樹脂、有機溶剤などからなる印刷インキを用いて絵柄を印刷したものであるので、絵柄が入射光線を単純に反射させるだけであって、装飾効果が単純であった。すなわち、反射効果は入射光にのみ依存するからであって、例えば、白色光が入射した場合には、白色の反射光しか得られない。従って、絵柄の色彩が見る角度によって真珠のように変化する干渉性のあるものではなかったので、きらびやかさや豪華さなどの装飾効果において必ずしも満足できるものではなかった。
【０００４】
【特許文献１】特開平１０−９９４９０号公報（図１）
【０００５】
【発明が解決しようとする課題】
本発明は上記した従来の問題点を解決し、視角や光の当る角度によって干渉作用により微妙に色彩が変化して多彩な色彩効果を得ることができる遊技機用装飾フィルムを提供するためになされたものである。
【０００６】
【課題を解決するための手段】
上記の課題を解決するためになされた本発明の遊技機用装飾フィルムは、干渉性顔料が混合された印刷インキによる無色又は単色で透明の干渉性印刷層が透明フィルムの裏面に形成され、干渉性印刷層の裏面には絵柄印刷層が形成されていることを特徴とするものであり、絵柄印刷層の一部又は全部を明度７以下の暗色印刷層とすることができる。また、本発明の遊技機用装飾フィルムは、干渉性顔料が混合された印刷インキにより絵柄が描かれた多色で透明の干渉性印刷層が透明フィルムの裏面に形成され、干渉性印刷層の裏面には明度７以下の暗色印刷層が形成されていることを特徴とするものであり、干渉性印刷層の絵柄形状に対応させて暗色印刷層を形成することができる。以上のような遊技機用装飾フィルムにおいて、干渉性印刷層の前面又は裏面に透明絵具による絵柄印刷層を介在させることができ、また、干渉性顔料として、金属酸化物からなる基板の上に、この基板より屈折率の高い金属酸化物が積層されたフレークからなるものを用いることができる。
【０００７】
【発明の実施の形態】
以下に図面を参照しつつ本発明の好ましい実施形態を説明する。
図１は、本発明の遊技機用装飾フィルムの断面構造を示す図であって、１はセルロイド等からなる透明フィルム、２はその裏面に形成された干渉性印刷層、３は不透明印刷層３であり、さらにその裏面に裏打ち紙４が積層されている。ここで、干渉性印刷層２は、図２に示すように干渉性顔料１４が混合された印刷インキ（以下、干渉性印刷インキと記す）を用いてスクリーン印刷、オフセット印刷等により形成されたものであり、不透明印刷層３は、図３に示すような絵柄５が不透明絵具により描かれた絵柄印刷層である。
【０００８】
干渉性印刷層２は、無色又は薄い黄色や水色、肌色などの単色で透明のものとすることができるが、透明とは必ずしも完全な透明である必要はなく半透明であっても裏が透けて見えるので差し支えはない。また、不透明印刷層３の絵柄５の一部又は下地５１を含む全部をマンセル体系で明度７以下として、これらを図４に示すように積層することにより、よりきらびやか感が発揮されて装飾効果を大幅に高めることができる。不透明印刷層３の色が明度７を超えて明るい場合には装飾効果を発揮させる程度が弱いので明度を７以下とするのが望ましい。なお、明度を６以下とするのがさらに望ましく、明度を５以下とするのが特別に望ましい。しかし、色相、彩度は特に限定されるものではない。
【０００９】
また、干渉性印刷層２を図５に示すような絵柄５が描かれた多色で透明のものとし、不透明印刷層３を図６に示すような単色又は多色で明度７以下の暗色印刷層を有するように形成する。そして、これらを積層すれば図７に示すような装飾用フィルムを形成することができる。この場合において、暗色印刷層は図柄５に対応させて図柄の裏のみに形成することによっても、図柄５を効果的に引き立てることができる。
【００１０】
また、本発明の遊技機用装飾フィルムは、図８、９に示すように干渉性印刷層２の前面又は裏面に透明絵具による絵柄印刷層７を介在させることができる。すなわち、この絵柄印刷層７の介在によって装飾に大きな変化を付けることができてより一層豪華さを増すことができる。
【００１１】
なお、例えば図８に示す実施形態の装飾フィルムは、透明フィルム１の裏面に絵柄印刷層７を印刷し、裏打ち紙４に形成した不透明印刷層３の上に干渉性印刷層２を印刷したうえでこれらを貼り合わせることによって製造することができるし、また、透明フィルム１の裏面に絵柄印刷層７を印刷し、さらにその裏面に干渉性印刷層２を印刷したうえで、不透明印刷層３を形成した裏打ち紙４を接着することによっても製造することができる。したがって、本発明における装飾フィルムは印刷の仕方や積層の順序によって何ら限定されるものではない。
【００１２】
装飾フィルムは遊技盤全面をカバーする大きさとすることもできるし、図１０に示すように、遊技盤の所要部に貼り付け可能な小シート８とすることもできる。
【００１３】
以下に干渉性顔料について説明する。
本発明において、干渉性顔料として細かく裁断したポリエステル製などのホログラムフィルムを用いることができ、また、鉱物製の基板に酸化物が積層されたものを用いることができる。例えば、干渉性顔料１４は、図１１に示すような構造であって、厚みが１００〜５０００ｎｍの鉱物など金属酸化物の薄片状基板４１の上に、この基板４１を構成する物質よりも屈折率の高い金属酸化物の層４２が１０〜５００ｎｍの厚みで被覆されており、Ｘ−Ｙ２方向の寸法が１〜２５０μｍであるフレークからなるものとすることができる。屈折率の高い金属酸化物の層４２と、屈折率の低い基板４１及びその周辺の媒体との境界で反射した光が真珠状の光沢を造り出す。また、金属酸化物層４２の厚みを増加することにより特定の波長の光が増強又は減衰されて色調が変化する。
【００１４】
基板４１として、雲母、ＳｉＯ２、Ａｌ２Ｏ３、などの金属酸化物を用いることができる。また、屈折率の高い金属酸化物として、ＴｉＯ２、Ｆｅ２Ｏ３、ＳｎＯ２、Ｃｒ２Ｏ３、ＺｎＯなどを単独で、又は混合して使用することができるが、これらの酸化物は求める色合いや質感の違いにより適宜選択して使用される。本発明においては基板４１として、透明度の高いＳｉＯ２層を用い、これに薄いＦｅ２Ｏ３層が積層されたもの、或いはＳｉＯ２層に薄いＴｉＯ２層が積層されたものを用いるのが特に好ましい。なお、ＴｉＯ２にはＳｎＯ２を混合するとより変化に富んだ色彩効果を引き出すことができる。ＳｉＯ２層の上にＦｅ２Ｏ３層を積層したものは、視角によって赤からゴールド系、ブロンズ系、緑へと色調が変化する。また、ＳｉＯ２層の上にＴｉＯ２とＳｎＯ２との混合層を積層したものは、視角によって強い紫からシルバー、緑系、青へと色調が変化する。
【００１５】
インキビヒクルは、例えば、皮膜形成成分である樹脂と、インキに流動性を与える溶剤と、助剤とからなる。樹脂としてアクリル樹脂などの熱可塑性樹脂、エポキシ樹脂などの熱硬化性樹脂、ポリエステル系などのＵＶ硬化性樹脂などを適宜用いることができ、溶剤として脂肪族炭化水素、芳香族炭化水素、グリコールエーテルなどを用いることができ、また、助剤としては、分散剤、消泡剤、レベリング剤、可塑剤、硬化促進剤などが必要に応じて使用される。
【００１６】
上記したような干渉性顔料１４をインキビヒクルに５〜６０質量％混合して干渉性印刷インキとして用いる。干渉性印刷インキにより、図２に示したような干渉性印刷層２を印刷すると、干渉性顔料１４、即ちフレークは印刷面に分散されて光の反射点となる。印刷された各フレークはある方向からみた場合、反射光の波長は同一ではなく、各フレークごとに異なる波長の反射光を増幅させて反射する。従って、各反射点からの反射光の色は様々であって、装飾フィルムは見る角度によって色調が変化する多彩な色合いを呈することができる。そして、本発明に置いては、干渉性印刷層２の裏側に不透明絵具による暗色印刷層を形成するので、その装飾効果をより高めることができる。
【００１７】
【発明の効果】
以上に説明したように、本発明の遊技機用装飾フィルムは、干渉性印刷インキによる無色又は単色で透明の干渉性印刷層が透明フィルムの裏面に形成され、干渉性印刷層の裏面には絵柄印刷層が形成されたものであるので、干渉性顔料により見る角度によって色調が変化する多彩な色合いを呈することができる。そして、絵柄印刷層の一部又は全部を明度７以下の暗色印刷層としたので、装飾効果をより高めることができる。また、遊技機用装飾フィルムを、干渉性印刷インキにより絵柄が描かれた多色で透明の干渉性印刷層が透明フィルムの裏面に形成され、干渉性印刷層の裏面には明度７以下の暗色印刷層が形成されたものとすることによっても多彩な色彩効果を発揮させることができる。
従って、本発明は遊技盤の装飾効果を大幅に高めることができるものとして極めて有益なものである。
【図面の簡単な説明】
【図１】第１の実施形態の装飾フィルムの断面図である。
【図２】第１の実施形態の干渉性印刷層の正面図である。
【図３】第１の実施形態の不透明印刷層の正面図である。
【図４】第１の実施形態の装飾フィルムの正面図である。
【図５】第２の実施形態の干渉性印刷層の正面図である。
【図６】第２の実施形態の不透明印刷層の正面図である。
【図７】第２の実施形態の装飾フィルムの正面図である。
【図８】第３の実施形態の装飾フィルムの断面図である。
【図９】第４の実施形態の装飾フィルムの断面図である。
【図１０】小シートの正面図である。
【図１１】干渉性顔料による光の干渉を説明する断面図である。
【符号の説明】
１    透明フィルム
２    干渉性印刷層
３    不透明印刷層
４    裏打ち紙
１４    干渉性顔料
【図１】
2004262192.tif 000003
【図２】
2004262192.tif 000004
【図３】
2004262192.tif 000005
【図４】
2004262192.tif 000006
【図５】
2004262192.tif 000007
【図６】
2004262192.tif 000008
【図７】
2004262192.tif 000009
【図８】
2004262192.tif 000010
【図９】
2004262192.tif 000011
【図１０】
2004262192.tif 000012
【図１１】
2004262192.tif 000013